(57)【要約】【課題】  内装工の養成に好適に使用される研修施設を提供する。【解決手段】  施設用の部屋として用意された研修室２の床に着脱自在に研修者の通路として敷設される通路ユニット３と、通路ユニット３が形成する通路の少なくも一方の側に沿って配置された複数の研修展示ユニット４，５ａ〜５ｄ，６とを備えている。各研修展示ユニット４，５ａ〜５ｄは、裏面にキャスター４１１，５１１を備えたベース４１，５１と、ベース４１，５１に固定された内装材見本とから成っている。内装材見本は、破断されていて施工完了後における内装の断面構造を示しており、且つ施工手順における施工対象箇所の状態の変化を示している。【選択図】  図３
2010256639.tif 000002
【特許請求の範囲】
【請求項１】
施設用の部屋として用意された研修室の床に着脱自在に研修者の通路として敷設された通路ユニットと、通路ユニットが形成する通路の少なくも一方の側に沿って配置された複数の研修展示ユニットとを備えており、
各研修展示ユニットは、裏面にキャスターを備えたベースと、ベースに固定された内装材見本とから成っており、
内装材見本は、破断されていて施工完了後における内装の断面構造を示しており、且つ施工手順における施工対象箇所の状態の変化を示していることを特徴とする移動式内装工事研修施設。
【請求項２】
前記研修展示ユニットは、一つの施工対象箇所に対して選択し得る異なる内装材を並べて展示していることを特徴とする請求項１記載の移動式内装工事研修施設。
【請求項３】
前記各研修展示ユニットは、前記研修室の出入り口を通過可能な大きさであることを特徴とする請求項１又は２記載の移動式内装工事研修施設。
【発明の詳細な説明】
【技術分野】
【０００１】
本願の発明は、店舗や住宅等における内装工事を行う内装工に対し、内装工事技術等を研修させる内装工事研修施設に関するものである。
【背景技術】
【０００２】
各種店舗や住宅、オフィス等において、各種内装工事が行われている。フローリングのような床材の施工、壁面へのクロス貼りや塗装等である。
このような内装工事は、専門の職人（内装工）によって行われることが多いが、内装にはある程度熟練した技能を要するし、色々な内装材についての専門的知識も必要である。内装工を目指す者は、内装工事店や内装工事会社等（以下、内装工事会社と総称する）に見習いとして就職し、親方等の技能者から指導を受け、ある程度の期間を経た後、内装工として一人前になれるのが通常である。
尚、本明細書において、「内装工事」とは、建築物の構造部分以外の工事を広く意味しており、上記した床材や壁材等の施工の他、天井材の施工、各種電気工事、ガス工事、キッチン工事、ドアや襖等の建具工事等を含んでいる。
【先行技術文献】
【特許文献】
【０００３】
【特許文献１】特開２００６−２９３９４０号公報
【発明の開示】
【発明が解決しようとする課題】
【０００４】
内装工事会社には小規模のものも多いが、比較的規模の大きな内装工事会社も多い。規模の大きな内装工事会社は、多くの現場を抱えており、同時進行的に作業が進められる。
会社の規模がどのようなものであれ、内装工の養成は重要な課題となっている。見習い（半人前）の状態が長く続くことは、人件費の支払いが負担となる問題がある。これは会社の規模の大小に関わらず言えることである。特に、規模の大きな会社の場合、多くの現場に迅速に内装工を配置することが必要で、より短期間に技能や知識を習得させることが重要になってきている。
【０００５】
特に規模の大きな会社の場合、複数の支店やチェーン店を持ち、各支店やチェーン店から内装工を派遣して工事を行わせている場合もある。このような場合、各支店やチェーン店において内装工を迅速に養成していく必要がある。
本願の発明は、このような課題を解決するためになされたものであり、内装工の養成に好適に使用される研修施設を提供する技術的意義を有するものである。
【課題を解決するための手段】
【０００６】
上記課題を解決するため、本願の請求項１記載の発明は、施設用の部屋として用意された研修室の床に着脱自在に研修者の通路として敷設された通路ユニットと、通路ユニットが形成する通路の少なくも一方の側に沿って配置された複数の研修展示ユニットとを備えており、
各研修展示ユニットは、裏面にキャスターを備えたベースと、ベースに固定された内装材見本とから成っており、
内装材見本は、破断されていて施工完了後における内装の断面構造を示しており、且つ施工手順における施工対象箇所の状態の変化を示しているという構成を有する。
また、上記課題を解決するため、請求項２記載の発明は、前記請求項１の構成において、前記研修展示ユニットは、一つの施工対象箇所に対して選択し得る異なる内装材を並べて展示しているという構成を有する。
また、上記課題を解決するため、請求項３記載の発明は、前記請求項１又は２の構成において、前記各研修展示ユニットは、前記研修室の出入り口を通過可能な大きさであるという構成を有する。
【発明の効果】
【０００７】
以下に説明する通り、本願の各請求項の発明によれば、通路の上を研修者が歩いていき、各研修展示ユニットを見ることで内装工事に関する知識が深められる。各研修展示ユニットは、裏面にキャスターを備えたベースに内装材見本が固定されたものであるので、別の場所への移動が容易である。そして、内装材見本は、破断されていて施工完了後における内装の断面構造を示しており、且つ施工手順における施工対処う箇所の状態の変化を示しているので、内装の構造とともに内装工事の手順を同時に理解することができる。
【発明を実施するための最良の形態】
【０００８】
次に、本願発明を実施するための最良の形態（以下、実施形態）について説明する。
図１は、本願発明の実施形態に係る移動式内装工事研修施設の断面概略図である。
本実施形態に内装工事研修施設は、ある大きな建物１の内部に設けられることが予定されている。この建物には、実施形態の研修施設用の用意された部屋（以下、研修室と呼ぶ）２がある。研修室２は、その目的のために当初から建築されているものである必要はない。通常のオフィスビルのような建物の中の比較的大きな部屋であったり、倉庫のような建物内の部屋であったりしても良い。研修室としては、例えば１００〜１５０平米程度あれば好適である。
【０００９】
本実施形態の内装工事研修施設は、上記研修室に配置されるものであるが、この配置は固定的なものではなく、別の場所の研修室に移動して配置することができるものとなっている。この点が大きな特徴点の一つとなっており、この意味で「移動式内装工事研修施設」と名付けられている。
本実施形態の研修施設は、多くの要素がユニット化されており、各ユニットを研修室内に持ち込んで設置することで出来上がるようになっている。即ち、各ユニットは、研修室２の出入り口２１を通過できる大きさのものである。これらユニットの一つは、研修者の通路として敷設される通路ユニット３である。
【００１０】
図２は、通路ユニット３の斜視概略図である。
図１及び図２から解るように、通路ユニット３は長方形のパネル状で、例えば縦横が４５０×９００ｍｍ程度の大きさである。通路ユニット３は、図１に示すように、研修者の通路となるべき位置に複数並べて敷設される。図２に示すように、通路ユニット３は、軽量化のために中空の構造となっており、断面コ状３１に補強用の梁３２が設けられた構造である。通路ユニット３の上面には、滑り止め等のためのフェルト製のシート（不図示）が貼り付けられている。尚、図１に示すように、本実施形態では、通路ユニット３は、周回路を形成した部分（以下、周回路部）３０１と、周回路部に向けたアプローチの部分（以下、アプローチ部）３０２とを形成している。
【００１１】
一方、本実施形態の研修施設が備えた主要なユニットの一つが、研修展示ユニットである。研修展示ユニットは複数設けられており、図１に示すように通路ユニット３が形成する通路に沿って配置されている。
各研修展示ユニットは、内装工を志す者に対して見せることで内装技術の詳細を理解させるものである。各研修展示ユニットは、内装工事に用いられる内装材の見本（以下、内装材見本）を備えており、内装の構造や施工対象箇所の状態の変化を見せることで内装技術を理解させるものである。
【００１２】
このような各研修展示ユニットは、すべて下面にキャスターを備えたベース上に研修展示ユニットを設けている。したがって、各研修展示ユニットは移動自在なものである。
前述したように内装技術は多岐に亘るため、それに応じて研修展示ユニットも色々なタイプのものが設けられている。本実施形態では、内装工事を系統立てて理解してもらうため、幾つかのカテゴリーに分けて内装工事を解説するようにしている。即ち、図１に示すように、足場設置のような付帯工事に関して理解してもらうためのエリア（以下、付帯工事エリア）Ａ１、厨房工事に関して理解してもらうためのエリア（以下、厨房工事エリア）Ａ２、床や壁の仕上げ工事に関して理解してもらうためのエリア（以下、床壁仕上げ工事エリア）Ａ３、扉や障子のような開口部の工事に関して理解してもらうためのエリア（以下、開口部工事エリア）Ａ４、壁面棚のような造り付け家具の工事に関して理解してもらうためのエリア（以下、家具工事エリア）Ａ５等に分かれている。
【００１３】
研修展示ユニットは、これらのエリアＡ１〜Ａ６にそのエリアの目的に応じたものが配置されている。以下、幾つかの研修展示ユニットについて例示的に説明する。まず、一例として、床壁仕上げ工事エリアＡ３に配置された研修見本ユニット（以下、床壁仕上げ用研修展示ユニット）について説明する。図３は、床壁仕上げ用研修展示ユニット４の斜視概略図である。
図３に示す床壁仕上げ用研修展示ユニット４は、下面にキャスター４１１を備えたベースフレーム４１と、ベースフレーム４１上に固定された内装材見本４２１〜４２３，４３１〜４３４とより成っている。図３に示す研修展示ユニットは、床部分の内装材見本と壁部分の内装材見本とを一つのベースフレーム４１上に固定している。この点も大きな特徴点となっている。
【００１４】
まず、床部分の内装材見本について説明する。図３に示す研修展示ユニット４は、施工完了状態の床を展示した部分と、工事途中の状態を示した部分とがある。床部分は、複数の床材を積層する工事がされる。複数の床材４２１〜４２３は、一部又は全部が破断されたものとなっており、図３に示すように段々畑状になっている。
通路ユニット３は手前側に配置されており、段々畑状の床材は手前側が低く、奥側に向けて徐々に高くなっている。床部分のうちの、最も手前側の部分は、床仕上げを行う前の床部分の露出部材４２１が設けられている。露出部材４２１は、ベースフレーム４１に嵌め込まれている。そして、その奥側には、防音材のような床下地材４２２が設けられ、その奥側にはフローリングのような床表面材４２３が設けられている。このような展示構造においては、研修者は、床部分の内装工事の手順と、施工完了後の内装の構造とを同時に理解することができる。
【００１５】
また、壁部分についても、垂直な状態で展示をしているだけであり、床部分の展示構造と基本的に同様である。壁面に対し、複数の壁面材を積層した構造が展示されている。複数の壁面材４３１〜４３３は、ベースフレーム４１に立設された不図示の背面ベースに固定されている。背面ベースは、壁面材を取り付けるためのフレームとして部材であり、内装材見本ではない。
各壁面材４３１〜４３３は、同様に破断した状態で展示されている。各壁面材４３１〜４３３は、奥側にいくに従って徐々に高さが高くなっている。最も手前側の高さの低い壁面材が施工完了後の状態を示す壁表面材４３１である。そして、その奥側で少しずつ高くなっているのが、防音材等の壁下地材４３２である。最も奥側に設けられているのが、施工前の壁面の露出部材４３３である。この例では、壁面に目地が形成されており、まずコーキング材４３４で目地を塞ぐ工事をするようになっている。その後、壁下地材４３２、壁表面材４３１を順に貼り付けるようになっている。
上記説明から解るように、この壁部分においても、研修者は、壁部分の内装工事の手順と、施工完了後の内装の構造とを同時に理解することができるようになっている。
【００１６】
また、図３に示すように、床壁用研修展示ユニット４が複数横に並べて設けられている。各床壁用研修展示ユニット４は、奥行きや高さが同じ寸法となっている。これらの床壁用研修展示ユニット４は、使用している床材や壁面材が異なっており、それに応じて異なった施工手順を展示している部分がある。例えば、床部分であれば、砂利を敷いた後にコンクリートを打ち、その上にタイルを敷設するような手順を展示している。また、壁部分については、下地材等の貼り付けについて接着材の塗布状態を示している部分などがある。
研修者は、各床壁用研修展示ユニット４を通路に沿って見ていくことで、床材や壁面材の色々なバリエーションを確認することができ、またそれぞれの床材や壁面材についての施工手順を理解することができる。
【００１７】
次に、別のエリアに配置された研修展示ユニットの一例として、厨房工事エリアＡ２に配置された研修展示ユニット（厨房用研修展示ユニット）５ａ〜５ｄについて説明する。図４は、厨房用研修展示ユニット５ａ〜５ｄの斜視概略図である。
図４に示す厨房用研修展示ユニット５ａ〜５ｄは、一例として、厨房の床工事の研修展示ユニットとなっている。こられの厨房用研修展示ユニット５ａ〜５ｄも、下面にキャスター５１１を備えたベースフレーム５１と、ベースフレーム５１上に設けた各種内装材見本とより成っている。
【００１８】
厨房工事エリアＡ２では、厨房の床工事について構造と手順を示すため、同様に複数の研修展示ユニット５ａ〜５ｄを並べて配置している。以下、複数の厨房用研修展示ユニットを、並んでいる順に第一ユニット５ａ、第二ユニット５ｂ、……第五ユニット５ｂとする。
図４に示す厨房用研修展示ユニット５ａ〜５ｄは、主として排水溝の工事について展示している。即ち、第一ユニット５ａは、ベースフレーム５１の上に下地モルタル５２が設けられた構造を展示している。下地モルタル５２は、排水溝となるべきスペースを空けた状態で設けられている。そして、排水溝となる部分を確保するため、一対の枠板５３が設けられている。枠板５３の間には梁５４を設けて枠板５３が倒れないようにしている。
【００１９】
第二ユニット５ｂでは、下地モルタル５２の上に上部モルタル５５が施工された状態が展示されている。上部モルタル５５も排水溝となるべきスペースを空けて設けられている。尚、下地モルタル５２と上部モルタル５５の間には、不図示の防水シートが敷かれている。
第三ユニット５ｃでは、上部モルタル５５の上にカラクリート５６が設けられた構造が展示されている。そして、排水溝を塞ぐようにしてグレーティング５７が嵌め込まれた構造が併せて展示されている。
【００２０】
第四ユニット５ｄは、工事手順を示すものではないが、各種の床仕上げ材５８のバリエーションについて展示している。第四ユニットでは、下地モルタル、防水シート、上部モルタルの順に積層されており、その上が四つの方形な領域に区画され、それぞれに異なる床仕上げの状態が展示されている。タイル貼り仕上げや塗床仕上げ等である。
こられの厨房用研修展示ユニットにおいても、研修者は第一ユニット５ａから第四ユニット５ｄを順に見ていくことで、厨房の床構造が理解でき、また排水溝を形成しながら行う床部分の内装工事の手順を理解することができる。さらには、床仕上げ材５８のバリエーション等についても知ることができる。
【００２１】
次に、さらに別のエリアに配置された研修展示ユニットの一例として、開口部工事エリアＡ４に配置された研修展示ユニット（以下、開口部用研修展示ユニット）の一例について説明する。図５は、開口部用研修展示ユニット６の斜視概略図である。
図５に示す開口部用研修展示ユニット６は、上述した各研修展示ユニットとは異なり、裏面にキャスターを備えたベースフレームは有していない。この開口部用研修展示ユニット６は、組み上げ式となっており、作業者が研修室２に持ち込んで組み上げるものとなっている。
【００２２】
具体的に説明すると、開口部用研修展示ユニット６は、枠材６１と、枠材６１の内部に設けた内装材見本６２１〜６２３と、二つの枠材６１を連結する連結具６３とから成っている。枠材６１や連結具６３は、内装材見本６２１〜６２３の展示のためのものであり、内装材として設けられているものではない。枠材６１は方形であり、その内側に内装材６２１〜６２３が取り付けられている。
連結具６３は、図５に示すように、断面がコ状で直角に折れ曲がったＬ字状の部材であり、枠材６１の幅に丁度適合したものとなっている。図５に示すように、二つの開口部用研修展示ユニット６を立てて互いに直角に配置し、その状態で連結具６３を枠材６１の上片の当接部分に嵌め込むようにする。これで二つの開口部用研修展示ユニット６が連結された状態となる。尚、連結具６３を補強のためネジ止めすることもある。
【００２３】
この開口部用研修展示ユニット６は、一つのみでは自立できないが、このように連結すると自立した状態となる。この例では二つの開口部用研修展示ユニット６がＬ字状に配置されているが、三つのものをＴ字状に配置したり、四つのものを十の字状に配置することもある。このように連結したいずれかのユニットに対して面一に別のユニットを連結することも可能であり、この場合には直線状の連結具が用いられることになる。
図５に示す例では、一方の開口部用研修展示ユニット６では、内装材見本として上側に障子６２１が設けられ、下側に引き戸６２２が設けられている。また、他方の開口部用研修展示ユニットには、パーティション６２３が設けられている。
【００２４】
上記のような構造を有する本実施形態の移動式内装工事研修施設では、通路の上を研修者が歩いていき、各研修展示ユニットを見ることで内装工事に関する知識が深められる。通路に沿って、研修者が歩くべき順路を表示した順路ボードや、各研修展示ユニットにおいて文字や写真等で内装工事を解説した解説ボードなどが必要に応じて設けられる。さらには、各研修展示ユニットには、展示内容を音声で解説するスピーカや音源等が設けられる場合もある。
【００２５】
通路ユニット３や各研修展示ユニット、上記ボード類等は、研修室に運び込まれてセッティングされ、一定期間、研修に用いた後、他の場所に移動したり、撤去して倉庫にしまったりすることができる。例えば、全国に支店を展開する規模の大きな内装工事会社の場合、支店毎に順次研修を行うようにすることが可能である。また、新入社員が入社した当初に、社屋内のある場所に設置して研修を行い、研修終了後は倉庫にしまうことで、その場所を別の目的で使用することができ、スペースの有効利用が図れる。
【産業上の利用可能性】
【００２６】
以上説明したように、本願発明によれば、内装工の養成に極めて好適に利用することができる研修施設が提供される。
【図面の簡単な説明】
【００２７】
【図１】本願発明の実施形態に係る移動式内装工事研修施設の断面概略図である。
【図２】通路ユニットの斜視概略図である。
【図３】床壁仕上げ用研修展示ユニットの斜視概略図である。
【図４】厨房用研修展示ユニットの斜視概略図である。
【図５】開口部用研修展示ユニットの斜視概略図である。
【符号の説明】
【００２８】
１  建物
２  研修室
３  通路ユニット
４  床壁用研修展示ユニット
４１  ベースフレーム
５ａ〜５ｄ  厨房用研修展示ユニット
５１  ベースフレーム
６  開口部用研修展示ユニット
【図１】
2010256639.tif 000003
【図２】
2010256639.tif 000004
【図３】
2010256639.tif 000005
【図４】
2010256639.tif 000006
【図５】
2010256639.tif 000007
【手続補正書】
【提出日】平成21年5月19日(2009.5.19)
【手続補正１】
【補正対象書類名】図面
【補正対象項目名】図１
【補正方法】変更
【補正の内容】
【図１】
2010256639.tif 000008
【手続補正２】
【補正対象書類名】図面
【補正対象項目名】図２
【補正方法】変更
【補正の内容】
【図２】
2010256639.tif 000009
【手続補正３】
【補正対象書類名】図面
【補正対象項目名】図３
【補正方法】変更
【補正の内容】
【図３】
2010256639.tif 000010
【手続補正４】
【補正対象書類名】図面
【補正対象項目名】図４
【補正方法】変更
【補正の内容】
【図４】
2010256639.tif 000011
【手続補正５】
【補正対象書類名】図面
【補正対象項目名】図５
【補正方法】変更
【補正の内容】
【図５】
2010256639.tif 000012